(57)【特許請求の範囲】
【請求項１】
リクエストの曲番号と客識別記号と確定キーとが入力可能な入力手段と、
曲の演奏前には前記入力手段により入力された曲番号に対応付けられた曲名を、曲の演奏中には歌詞の文字データを交互に表示する表示手段と、
曲番号に対応付けられた曲名と当該曲名の音楽信号及び歌詞の文字データとからなるカラオケデータを記憶する曲データベースと、
前記入力手段により入力された曲番号に対応付けられた曲名と当該曲名の歌詞の文字データ及び音楽信号とを前記曲データベースから読み出し、再生装置により前記文字データを文字として前記表示手段に表示させるとともに、前記音楽信号をスピーカーにより演奏させる制御手段とを備えるカラオケ装置であって、
前記入力手段により曲番号に続いて確定キーが入力されると計時するタイマを設け、前記制御手段はこのタイマの計時後、予め定めた所定時間内にリクエスト客の識別用記号と前記確定キーとが入力された場合には、曲の演奏前には前記入力手段により入力された曲番号に対応付けられた曲名と当該識別記号とを並べて前記表示手段に表示し、前記所定時間内に再度前記確定キーが入力された場合、又は前記所定時間が経過した場合には、前記入力手段により入力された曲番号に対応付けられた曲名のみを、表示することを特徴とするカラオケ装置。
【発明の詳細な説明】
【０００１】
【産業上の利用分野】
本発明は、カラオケ装置に次曲通知の記号を表示する方法に関し、特に次曲名とともにリクエストした客の座席番号やテーブル番号をビデオ画面に表示する方法に関する。
【０００２】
【従来の技術】
図６、７において、従来のカラオケ装置に通知の文字や数字を表示する方法の動作について説明する。
まず、図６において、カラオケ装置の配置状態について説明する。
カラオケ店４１内には、正面にステージ４２が設けられ、室内には多数のテーブル４０が配置されている。
ステージ４２にはカラオケ用のテレビ画面のＣＲＴ１５と両側にスピーカ１４が、サイドにはカラオケ制御部１１が配置されている。
【０００３】
各テーブル４０には番号が例えば、１〜７等のように付けられ、店や顧客が利用しているテーブル４０を認識し易いようにしている。
図７にＣＲＴ１５の表示例を示す、ＣＲＴ１５にはリクエストされた次の曲名”次曲  アマン”が、歌詞の歌い出し部分のテロップ”白いカモメ・・・”とともに表示される。
【０００４】
【発明が解決しようとする課題】
従来のカラオケ装置では、ＣＲＴ１５に次の曲名が表示されるが、次曲表示だけでは、どのテーブルの顧客がリクエストしたのかわかりにくく、案内しにくいという欠点があった。
異なるテーブルの異なるグループの顧客が同じ曲名を前後してリクエスしていた場合は、テーブル毎に区別していないので歌う順番が混乱してしまうという問題があった。
この発明は、リクエストされた次曲が、どのテーブルの顧客によるものかを一見してわかり易くすることを目的にしている。
【０００５】
【課題を解決するための手段】
本発明は上記目的を達成するため、予め定めた曲番号を入力し、確定キーを入力して希望曲をリクエスト後に、曲データベースから該当する曲名を選択して、表示装置に次曲名を表示して通知する、カラオケ装置に次曲通知の記号を表示する方法において、前記曲番号を入力して確定キーを入力した後にタイマが時間を計測し、所定時間放置するか又は、再度前記確定キーを入力すると次曲名のみを表示し、あるいは前記所定時間以内に客識別用の記号を入力した後に再度前記確定キーを入力すると、前記希望曲の演奏前に、当該次曲名と前記客識別記号とを並べて前記表示装置に表示する。即ちリクエストした曲名とともにリクエスト者の席番号や入力されたテーブル番号を、背景画像にスーパーインポーズして並べて表示装置に表示する。また、テーブル上のランプを点灯させて、リクエストした客に次の番であることを知らせる。
【０００６】
【実施例】
以下この発明を図面に従って説明する。
図４において、本発明が実施される座席番号付きカラオケ装置の全体構成について説明する。
座席番号付きカラオケ装置は、カラオケ制御部１１とリモートコントロール１と、ビデオ表示装置のＣＲＴ１５と、複数のスピーカー１４と、楽曲とともに背景映像を発生するレーザープレーヤー１３等から構成されている。
リモートコントロール１は、カラオケ制御部１１と別体に分離して設けられ、カラオケ制御部１１に各種の命令を赤外線のパルスにより発信する。
【０００７】
図５において、カラオケ制御部１１の正面パネル３０には、赤外線のセンサ３と、放電管の曲番表示部２１及び席番表示部２２と、テンキースィッチ８と、音量スペクトルを動的なグラフで表示する液晶や放電管の表示部２３と、その他スピードコントドール及びキーコントロールの設定値等を表示するディスプレイ３１等が配置されている。
【０００８】
席番表示部２２には、店内に配置されたテーブルや区切りのブースの識別記号や番号を表示する。
本願の座席番号付きカラオケ装置の全体配置も図６とほぼ同じになる。
顧客は同一仲間がグループとなって来店し、テーブルや区切りのブース毎に席を取って利用するが、テーブルや区切りのブースには、従来同様に識別番号”１、２、３”等が付けられ、利用者がどのテーブル等に属するのか、場所を認識し易くしている。
【０００９】
図４において、カラオケ制御部１１の電子回路としての構成は、赤外線センサ−３、デコーダ４、ＣＰＵ５、テンキー８、表示部２３、曲番表示部２１、席番表示部２２、ディスプレイ３１となっており、ＣＰＵ５はタイマ２を内蔵する。
【００１０】
カラオケ制御部１１は、別体の記憶装置９に蓄積している音楽信号と歌詞データを読み出し、再生装置２４で再生してスピーカー１４から演奏し、歌詞のテロップをテレビ等の表示装置、ＣＲＴ１５に表示する。
記憶装置９はハードディスクやレーザーディスク（ＬＤ）等からなり、このＬＤには曲番号とともに音楽信号と歌詞の文字データが記録されたものである。
再生装置２４は、文字処理回路、ＭＩＤＩ回路等を内蔵し、ＭＩＤＩ回路は音楽信号を、文字処理回路は歌詞の文字データをそれぞれ復調している。
【００１１】
なお、記憶装置９のハードディスクには、通信制御回路を付加し、ＩＳＤＮ等の通信手段により、外部から音楽データを受信してもよい。
また、別途設けたマイク１８からの歌い手の歌声が、音声合成回路１６で音楽信号の楽曲と合成されスピーカー１４から放送される。
テンキー８内のテンキーは数値を入力するもので、セットキー１０は入力した数値を確定するものである。
また、テンキー８からの数値コードはデコーダ４により解読され、ＣＰＵ５で処理されて、曲番号や席番号の数字が曲番表示部２１や席番表示部２２にそれぞれ送られ表示される。
なお、リモートコントロール１からの入力もテンキー８と同様な動作をする。
【００１２】
次に、カラオケ制御部１１のＣＰＵ５の動作を図３のフローチャートに従って説明する。
ステップＳ１では、カラオケ制御部１１のテンキー８から、リクエストする曲番号の数字例えば”８０００１”を入力し、ステップＳ２でセットキー１０を押して、「セット」を入力する。
次にステップＳ３では、ＣＰＵ５はデコーダ４から数字８０００１受けとり、内蔵のＶＲＡＭを介し、カラオケ制御部１１の曲番表示部２１に表示する。リクエストする客は数字８０００１でリクエスト曲を確認できる。
【００１３】
次にステップＳ４では、セットキー１０から再度「セット」の入力があったかどうか調べ、あれば、テーブル番号を省略する場合であり、テンキー８から”８０００１”が、セットキー１０から「セット」、「セット」がそれぞれ入力された時である。
ステップＳ５でディスプレイの曲番表示部２１に曲番号８００−０１のみが表示され、リクエスト曲の演奏前には、ＣＲＴ１５には図７の従来と同様に、次曲名の”次曲  アマン”のみが表示される。
【００１４】
また、ステップＳ４で「セット」の入力がなければ、ステップＳ６に進み、タイマ２により、例えば５秒間過ぎたかどうか調べる。
「セット」の入力がなく５秒過ぎたらステップＳ５に戻り、ＣＲＴ１５には「セット」、「セット」と入力された時と同様に、図７のように、曲番号８００−０１のみが表示される。
【００１５】
次に、５秒以内にステップＳ７で、席番号の数字”２３”等を入力し、ステップＳ８でセットキー１０から「セット」を入力する。
すると、ステップＳ９では、カラオケ制御部１１の曲番表示部２１と席番表示部２２には、図２に示すように例えば”８００−０１”、”２３”等が表示される。
これらの表示を見て、客はリクエスト番号と自席の番号を確認できる。
ステージでは、引き続き別の歌い手が歌っていたとし、その後歌唱が済み、しばらくたったあとで、次曲が、テレビ画面のＣＲＴ１５に現れる。
この時には、ステップＳ７で、席番号の数字”２３”等を入力したので、ステップＳ９で、図１のように、例えば、”曲名  アマン”と、”テーブルＮｏ．２３”等がＣＲＴ１５には表示される。
【００１６】
この”テーブルＮｏ．２３”を見て、司会者や直前にステージで歌い終わった顧客は、次の歌い手のテーブルＮｏ．２３をマイクから放送できる。
これにより、リクエストした顧客が順番を間違うことなく、希望の曲を歌うことができる。また話に夢中になり、リクエストを忘れた顧客には、司会者等が通知し、注意をかっきできる。
【００１７】
通常カラオケ店では、顧客はほろ酔い気分であるが、テーブル番号を表示すればどこの席の顧客がリクエストしたかは、ＣＲＴ１５や席番表示部２２を見るだけでよくわかる。
なお、キー入力は、リモートコントロール１で入力しても、テンキー８と同様の動作となる。
また、各テーブル４０の番号１〜７等の代わりに、各テーブル４０を識別する”イ、ロハ、・・・”や”Ａ、Ｂ、Ｃ・・・”の記号であってもよい。
【００１８】
【発明の効果】
この発明では、予め定めた範囲の数字のなかからリクエストの曲番号を入力し、確定キーを入力した後に、曲データベースから該当する曲番号に該当する曲名を選択して、次曲名を表示装置に表示するカラオケ装置に通知の記号の文字や数字を表示する方法において、
曲番号を入力して、確定キーを入力した後に、客識別用の席番号やテーブル番号を入力して確定キーを入力し、演奏前に曲名とともにリクエスト者の席番号やテーブル番号を並べて表示装置に表示する。
テーブル番号で次曲がどのテーブルの人によるものかを知らせるので、わかり易くなった。
テーブル番号を入力できるので２曲続けて同じテーブル番号の人が歌うのを防ぎ、各テーブルの客が均等に歌う機会に預かることができる。
また、リクエスト曲とテーブル番号の組を、ＣＰＵ５で処理して、テーブル番号毎の会計をすることが容易にできる
更に、  カラオケ制御部１１からテーブル上に設けたランプに信号を送るようにすれば、該当テーブル上のランプを点灯させ、次の番であることを知らせることもできる。
【図面の簡単な説明】
【図１】本発明のカラオケ装置に次曲通知の記号を表示する方法が実行された表示状態を示す図である。
【図２】本発明のカラオケ装置に次曲通知の記号を表示する方法が実行されたカラオケ制御部の表示状態を示す図である。
【図３】本発明のカラオケ装置の動作を説明するフローチャートである。
【図４】本発明のカラオケ装置のブロック回路図である。
【図５】本発明のカラオケ装置のカラオケ制御部の正面図である。
【図６】一般的なカラオケ店内におけるカラオケ装置の配置図である。
【図７】従来のカラオケ装置に次曲通知の記号を表示する方法が実行された表示状態を示す図である。
【符号の説明】
１  リモートコントロール
２  タイマ
３  赤外線センサ
４  デコーダ
５  ＣＰＵ
７  タイマ
８  テンキー
９  記憶装置
１０  セットキー
１１  カラオケ制御部
１４  スピーカー
１５  ＣＲＴ
２１  曲番表示部
２２  席番表示部
２３  音量スペクトル表示部
３１  ディスプレイ
２４  再生装置
３０  正面パネル
４０  テーブル
４１  カラオケ店
【図１】
0003608841.tif 000002
【図２】
0003608841.tif 000003
【図３】
0003608841.tif 000004
【図４】
0003608841.tif 000005
【図５】
0003608841.tif 000006
【図６】
0003608841.tif 000007
【図７】
0003608841.tif 000008